(57)【特許請求の範囲】
【請求項１】
受信チャンネルを、チャンネルマップに登録されているチャンネルの昇順または降順に切り換えるチャンネルアップダウン手段を備えた放送受信装置において、
番組が放送されているチャンネルを示す外部から受け取ったチャンネルマップ情報に基づいて、番組が放送されているチャンネルを前記チャンネルマップに登録するチャンネル登録手段と、
前記チャンネルマップに登録されているチャンネル毎に、スキップ用チャンネルマップに登録するかどうかを受け付け、前記チャンネルアップダウン手段により切り換えられた受信チャンネルが、放送されている番組の映像が表示できないチャンネルであれば、このチャンネルを前記スキップ用チャンネルマップに登録するかどうかを確認する旨の確認メッセージを出力し、このチャンネルについて前記スキップ用チャンネルマップに登録するかどうかを受け付け、前記チャンネルアップダウン手段により切り換えられた受信チャンネルが、放送されている番組の映像が表示できないチャンネルであり、且つすでに前記確認メッセージを出力し、このチャンネルについて前記スキップ用チャンネルマップに登録するかどうかを受け付けたチャンネルであれば、前記確認メッセージを出力しないスキップ用チャンネル登録手段と、
前記スキップ用チャンネルマップに登録されているチャンネルの一覧を出力し、このスキップ用チャンネルマップに登録されているチャンネル毎に、その削除を受け付けるスキップ用チャンネル削除手段と、を備え、
前記チャンネルアップダウン手段は、前記スキップ用チャンネルマップに登録されているチャンネルをスキップする手段であることを特徴とする放送受信装置。
【請求項２】
受信チャンネルを、チャンネルマップに登録されているチャンネルの昇順または降順に切り換えるチャンネルアップダウン手段を備えた放送受信装置において、
番組が放送されているチャンネルを示す外部から受け取ったチャンネルマップ情報に基づいて、番組が放送されているチャンネルを前記チャンネルマップに登録するチャンネル登録手段と、
前記チャンネルマップに登録されているチャンネル毎に、スキップ用チャンネルマップに登録するかどうかを受け付け、前記チャンネルアップダウン手段により切り換えられた受信チャンネルが、放送されている番組の映像が表示できないチャンネルであれば、このチャンネルを前記スキップ用チャンネルマップに登録するかどうかを確認する旨の確認メッセージを出力し、このチャンネルについて前記スキップ用チャンネルマップに登録するかどうかを受け付け、前記チャンネルアップダウン手段により切り換えられた受信チャンネルが、放送されている番組の映像が表示できないチャンネルであり、且つすでに前記確認メッセージを出力し、このチャンネルについて前記スキップ用チャンネルマップに登録するかどうかを受け付けたチャンネルであれば、前記確認メッセージを出力しないスキップ用チャンネル登録手段と、
前記スキップ用チャンネルマップに登録されているチャンネルの一覧を出力し、このスキップ用チャンネルマップに登録されているチャンネルの削除を受け付けるスキップ用チャンネル削除手段と、を備え、
前記チャンネルアップダウン手段は、前記スキップ用チャンネルマップに登録されているチャンネルをスキップする手段である放送受信装置。
【請求項３】
前記スキップ用チャンネル削除手段は、前記スキップ用チャンネルマップに登録されているチャンネル毎に、その削除を受け付ける手段である請求項２に記載の放送受信装置。
【発明の詳細な説明】
【技術分野】
【０００１】
この発明は、放送受信装置において、アップダウンキーの操作により選択するチャンネルの登録と削除に関する。
【背景技術】
【０００２】
ケーブルテレビジョンの普及に伴い、ユーザは、地上波等の放送局のチャンネルだけでなく、さらにケーブルテレビジョン用に放送されている複数のチャンネルの中から所望のチャンネルを選択して番組の視聴が可能となっている。また、近時、ケーブルテレビジョンにおいて、従来からあるアナログ放送に加えて、アナログ放送よりも高画質化・多チャンネル化が可能なディジタル放送が普及しつつある。
【０００３】
ディジタルケーブルテレビジョン対応の放送受信装置は、通常、ＯＯＢ（Out of Band ）と呼ばれる信号からチャンネルマップ情報をダウンロードして、選択可能なチャンネルを設定する。放送受信装置がダウンロードするチャンネルマップには、視聴可能なチャンネルと、スクランブル処理がなされておりユーザが視聴契約を結んでいないために視聴不可能なチャンネルと、スクランブル処理がなされているがユーザが視聴契約を結んでいるので視聴可能なチャンネルと、が含まれている。
【０００４】
従来の放送受信装置では、ユーザが簡単に番組を選択できるように、番組が放送されているチャンネルを、チャンネル番号の昇順または降順に切り換えるチャンネルアップダウン機能が設けられていた。このチャンネルアップダウン機能は、予め受信可能な全周波数帯域について番組が放送されているチャンネルを検出し、ここで番組が放送されていることを検出したチャンネルを登録したチャンネルマップに基づいて、装置本体や付属のリモコン装置のアップダウンキーを操作して、番組が放送されているチャンネル（チャンネルマップに登録されているチャンネル）をチャンネル番号の昇順または降順に切り換える機能である。また、従来の放送受信装置では、上記のようにＯＯＢ信号からダウンロードしたチャンネルマップに含まれるチャンネル全てが、チャンネルアップダウン機能により選択（視聴）可能なチャンネルとして登録される。そのため、ユーザは、チャンネルアップダウン機能により選択したくないチャンネルについて登録の削除を行わなければならない。また、ユーザは、登録の削除を行ったチャンネルを再登録する場合には、全チャンネルの登録を一旦解除し、ＯＯＢ信号からチャンネルマップをダウンロードして、このチャンネルマップに含まれるチャンネル全てを再登録し、チャンネルアップダウン機能により選択したくないチャンネルの登録を削除しなければならなかった。
【０００５】
そこで、従来、チャンネルマップにチャンネルを登録するときには物理チャンネル単位で登録し、削除するときにはサブチャンネル単位で削除する受信装置に関する発明が開示されている（例えば、特許文献１参照。）。
【特許文献１】特開２００２−３４４８３２号公報
【発明の開示】
【発明が解決しようとする課題】
【０００６】
しかしながら、特許文献１に記載の受信装置は、好みにあわない番組を放送しているチャンネル（サブチャンネル）を削除した後に、好みが変わった等で削除したチャンネルを再登録する際には、物理チャンネル単位で登録しなければならない。そのため、この物理チャンネルに登録を削除したサブチャンネルが他にもある場合には、再度、そのサブチャンネルを消去しなければならず、作業が繁雑であるという問題があった。
【０００７】
そこで、本発明は、チャンネルアップダウン機能により選択可能なチャンネルの削除と再登録を容易に行うことができる放送受信装置を提供することを目的とする。
【課題を解決するための手段】
【０００８】
この発明は、上記の課題を解決するための手段として、以下の構成を備えている。
【０００９】
（１）  受信チャンネルを、チャンネルマップに登録されているチャンネルの昇順または降順に切り換えるチャンネルアップダウン手段を備えた放送受信装置において、
番組が放送されているチャンネルを示す外部から受け取ったチャンネルマップ情報に基づいて、番組が放送されているチャンネルを前記チャンネルマップに登録するチャンネル登録手段と、
前記チャンネルマップに登録されているチャンネル毎に、スキップ用チャンネルマップに登録するかどうかを受け付けるスキップ用チャンネル登録手段と、
前記スキップ用チャンネルマップに登録されているチャンネルの一覧を出力し、このスキップ用チャンネルマップに登録されているチャンネルの削除を受け付けるスキップ用チャンネル削除手段と、を備え、
前記チャンネルアップダウン手段は、前記スキップ用チャンネルマップに登録されているチャンネルをスキップする手段であることを特徴とする。
【００１０】
この構成においては、放送受信装置は、チャンネルアップダウン手段による受信チャンネルの切り換え時に選択しないチャンネルの情報をスキップ用チャンネルマップで管理しており、スキップ用チャンネル削除手段で、スキップ用チャンネルマップに登録されているチャンネルの一覧を出力して、このスキップ用チャンネルマップに登録されているチャンネルの削除を受け付ける。また、チャンネルアップダウン手段は、スキップ用チャンネルマップに登録されているチャンネルをスキップする。したがって、ユーザが、チャンネルアップダウン手段による受信チャンネルの切り換え時に選択しないチャンネルを、選択するチャンネルするとして再登録する際には、スキップ用チャンネルマップに登録されているチャンネルの一覧表示手段に表示された全チャンネルの情報を確認することで、容易に再登録することができる。
【００１１】
（２）前記スキップ用チャンネル登録手段は、前記チャンネルアップダウン手段により切り換えられた受信チャンネルが、放送されている番組の映像が表示できないチャンネルであれば、このチャンネルを前記スキップ用チャンネルマップに登録するかどうかを確認する旨の確認メッセージを出力し、このチャンネルについて前記スキップ用チャンネルマップに登録するかどうかを受け付ける手段であることを特徴とする。
【００１２】
この構成においては、チャンネルアップダウン手段により受信チャンネルが放送されている番組の映像が表示できないチャンネルに切り換えられると、このチャンネルを前記スキップ用チャンネルマップに登録するかどうかを確認する旨の確認メッセージを出力し、このチャンネルについて前記スキップ用チャンネルマップに登録するかどうかを受け付ける。したがって、ユーザは、番組の映像が表示できないチャンネルをチャンネルマップに登録するための登録削除モードを選択しなくても、容易にその設定を行うことができる。
【００１３】
（３）前記スキップ用チャンネル登録手段は、前記チャンネルアップダウン手段により切り換えられた受信チャンネルが、放送されている番組の映像が表示できないチャンネルであり、且つすでに前記確認メッセージを出力し、このチャンネルについて前記スキップ用チャンネルマップに登録するかどうかを受け付けたチャンネルであれば、前記確認メッセージを出力しない手段であることを特徴とする。
【００１４】
この構成においては、前記チャンネルアップダウン手段により切り換えられた受信チャンネルが、放送されている番組の映像が表示できないチャンネルであり、且つすでに確認メッセージを出力し、このチャンネルについてスキップ用チャンネルマップに登録するかどうかを受け付けたチャンネルであれば、確認メッセージを出力しない。したがって、スクランブル放送がかかっているために番組の映像を表示できないチャンネルを選択するように設定した場合等に、確認メッセージが何度も表示されないように設定でき、このチャンネルを選択するか否かの登録を何度も行う必要がない。
【００１５】
（４）前記スキップ用チャンネル削除手段は、前記スキップ用チャンネルマップに登録されているチャンネル毎に、その削除を受け付ける手段であることを特徴とする。
【００１６】
この構成においては、スキップ用チャンネル削除手段は、スキップ用チャンネルマップに登録されているチャンネル毎に、その削除を受け付ける。したがって、チャンネルアップダウン手段により切り換えができるように、１チャンネルずつ設定することができるので、必要なチャンネルだけを設定することができる。
【発明の効果】
【００１７】
本発明によれば、以下の効果が得られる。
【００１８】
放送受信装置では登録用チャンネルマップへのチャンネルの登録を一括して行い、チャンネルのアップダウンキーの操作により選択できないようにする登録を、アップダウンキーの操作時に、スキップ用チャンネルマップに登録されているチャンネル毎に行うことができる。また、アップダウンキーの操作により選択できないように登録を削除したチャンネルの再登録をサブチャンネル単位で行うことができる。したがって、チャンネルアップダウン機能により切り換え可能なチャンネルの登録にかかる手間が抑えられるとともに、ユーザが自分の好みにあったチャンネルのみをチャンネルアップダウン機能により切り換えることができる。
【発明を実施するための最良の形態】
【００１９】
図１は、放送受信装置の構成を示すブロック図である。放送受信装置１は、ディジタルケーブルテレビジョン対応の放送受信装置であり、例えばセットトップボックス（Set Top Box:ＳＴＢ）である。制御部２は、放送受信装置１本体の動作を制御する。受信部３は、ケーブル１０を介して受信したディジタル放送信号およびアナログ放送信号の中から、選択されているチャンネルで放送されている番組の放送信号を取り出す。リモコン受信部４は、リモコン装置８から赤外線または電波で送信されてきたチャンネル切換信号等の制御信号を受信する。出力部５は、受信部３で受信された番組の画像信号および音声信号を出力する。表示部１１は、出力部５から出力された画像信号に基づく画像を表示するとともに、音声信号に基づく音声を出力する。操作部６は、チャンネルの切り換え操作を行うためのアップダウンキー等の複数の操作キーを備えている。リモコン装置８は、操作部６と同様に、アップダウンキー等の複数の操作キーを備えており、操作キーの操作に応じてチャンネル切換信号等の制御信号を出力する。
【００２０】
ここで、従来の放送受信装置１では、従来の放送受信装置と同様に、ユーザが簡単に番組を選択できるように、番組が放送されているチャンネルを、チャンネル番号の昇順または降順に切り換えるチャンネルアップダウン機能が設けられている。このチャンネルアップダウン機能は、予め受信可能な全周波数帯域について番組が放送されているチャンネルを検出し、ここで番組が放送されていることを検出したチャンネルを登録したチャンネルマップに基づいて、装置本体や付属のリモコン装置のアップダウンキーを操作して、番組が放送されているチャンネル（チャンネルマップに登録されているチャンネル）をチャンネル番号の昇順または降順に切り換える機能である。
【００２１】
また、周知のように、ディジタル放送は、物理チャンネルに多重化した複数の仮想チャンネルを形成し、この仮想チャンネル毎に番組が放送できる。すなわち、１つの物理チャンネル（周波数帯域）で複数の番組が放送できる。
【００２２】
なお、ここで言う物理チャンネルとは、番組の放送に使用されている搬送波の周波数帯域である。
【００２３】
ディジタル放送では、物理チャンネルに対応するチャンネル番号（以下、物理チャンネル番号と言う。）と、仮想チャンネルに対応するチャンネル番号（以下、仮想チャンネル番号と言う。）との２つのチャンネル番号がある。また、仮想チャンネル番号は、メインチャンネルと、サブチャンネルとからなる。チャンネル番号の切り換え指示は仮想チャンネル番号（メインチャンネルおよびサブチャンネル）で行われる。
【００２４】
制御部２は、以下に示すチャンネルマップを不図示の不揮発性メモリに記憶している。このチャンネルマップは２〜３ｋｂｙｔｅの大きさである。図２は、放送受信装置が記憶するチャンネルマップの一例を示す図である。チャンネルマップは、登録用チャンネルマップ１５とスキップ用チャンネルマップ１６からなり、登録用チャンネルマップ１５は、ＯＯＢ（Out of Band ）信号からチャンネルマップ情報をダウンロードして、このチャンネルマップ情報に基づいて、放送が行われている全チャンネルの登録を行うためのものである。また、スキップ用チャンネルマップ１６は、チャンネルアップダウン機能によるチャンネルの切り換え時にスキップするチャンネルをサブチャンネル単位で登録するためのものである。
【００２５】
両マップは同様の構成であり、それぞれ１２５の領域からなり、各領域を１つの物理チャンネルに割り当てている。各領域は、物理チャンネル番号、仮想チャンネル番号（メインチャンネルおよびサブチャンネル）、ディジタル放送またはアナログ放送のどちらであるかを記録する領域（ディジタル識別子またはアナログ識別子を記録する領域）、チャンネルアップダウン機能による選択の確認の有無（確認フラグ）を記録する領域、チャンネルアップダウン機能による選択の可否（スキップフラグ）を記録する領域、および有料放送の契約の有無を記録する領域、およびスクランブル処理または映像信号の有無を記録する領域からなる。メインチャンネル番号は、数値で記録している。サブチャンネル番号は、１００個のフラグで記録している。具体的には、サブチャンネル番号０〜９９にそれぞれフラグを記録する領域を設け、各領域に番組が放送されているかどうかを示すフラグを記録している。さらに、登録用チャンネルマップ１５とスキップ用チャンネルマップ１６は、番組が放送されている物理チャンネルがディジタル放送またはアナログ放送かを示すフラグ（ディジタル識別子またはアナログ識別子）を記録している。加えて、登録用チャンネルマップ１５とスキップ用チャンネルマップ１６は、チャンネルアップダウン機能による選択の確認の有無を記録している。また、登録用チャンネルマップ１５とスキップ用チャンネルマップ１６は、有料放送の契約の有無、および各チャンネルにおけるスクランブル等の有無を示すフラグを記録している。なお、有料放送の契約の有無は、ユーザが有料放送の視聴契約を行うと、自動的にフラグが設定される。
【００２６】
登録用チャンネルマップ１５には、物理チャンネル番号および仮想チャンネル番号の記録領域に、放送されている全チャンネルがサブチャンネル単位で記録される。また、スキップ用チャンネルマップ１６には、チャンネルアップダウン機能により選択しない（スキップさせる）チャンネルがサブチャンネル単位で記録される。
【００２７】
ここで、有料放送のチャンネルでは、放送信号にスクランブル処理がなされているか、または放送信号が送信されておらず、視聴契約を結んでいるユーザのみが番組の映像を正常に表示させることができる。また、有料放送のチャンネルでは、視聴者に視聴契約を結んでもらうために、視聴契約を結んでいないユーザも番組の映像を正常に表示させることができるように、定期的にスクランブル処理を中止したり、放送信号を送信したりする。
【００２８】
なお、アナログ放送では仮想チャンネル番号が伝送できないため、アナログ放送の物理チャンネルに割り当てられた仮想チャンネル番号の領域を空白にしている（図２に示す物理チャンネル番号２）。また、番組が放送されていない物理チャンネルについては、仮想チャンネルの領域、およびアナログ／ディジタルの識別子の領域をともに空白にしている（図２に示す物理チャンネル番号１、３、５、７、９）。また、ＶＣＴ（Virtual Channel Table ）を持たないディジタル放送信号も仮想チャンネル番号を伝送できないので、仮想チャンネルのメインチャンネル番号に物理チャンネル番号を使用し、サブチャンネル番号にプログラムナンバを使用している（図２に示す物理チャンネル番号６）。
【００２９】
さらに、図２では物理チャンネル番号２にアナログ放送信号、且つ物理チャンネル番号８のチャンネルが仮想チャンネル番号２を使用している例を示している。これは、従来のアナログ放送と新しいディジタル放送とをひとまとまりのチャンネルとして取り扱えるようにするためであり、ＡＴＳＣ（Advanced Television Standards Commitee）規格により推奨されている形式である。この場合、ユーザはこれらの２つの放送信号を、メインチャンネル番号２を持つひとまとまりのチャンネルとして認識する。
【００３０】
なお、物理チャンネル番号が８のチャンネルではサブチャンネル番号０にフラグをたてているが、その番組の放送信号が物理チャンネル８に含まれているわけではない。ディジタル放送による番組にサブチャンネル番号０をつけてはならないと規定されている。このフラグは、物理チャンネル番号８の放送信号上で物理チャンネル番号２のアナログ放送のチャンネル名など、他のチャンネルの情報を伝送していることを示している。
【００３１】
次に、放送受信装置１においてチャンネルアップダウン機能により切り換えるチャンネルの登録、削除、および再登録について説明する。
【００３２】
まず、チャンネルアップダウン機能により切り換え可能なチャンネルの登録について説明する。ユーザは、放送受信装置１においてチャンネルアップダウン機能により切り換えを行うチャンネルの登録を行う場合には、操作部６またはリモコン装置８でチャンネルの登録操作を行う。制御部２は、ユーザがチャンネルの登録操作を行ったことを検出すると、ＯＯＢ信号からチャンネルマップ情報をダウンロードして、選択可能なチャンネルを全て設定する。すなわち、番組を放送している全てのチャンネル（サブチャンネル）の情報を登録用チャンネルマップ１５に登録して、全てのチャンネル（サブチャンネル）をアップダウン機能により切り換え可能なチャンネルとして登録する。このとき、登録用チャンネルマップ１５には、図２に示したように、物理チャンネル番号、仮想チャンネル番号（メインチャンネルおよびサブチャンネル）などの情報が記録され、登録用チャンネルマップ１５およびスキップ用チャンネルマップ１６には、ディジタル識別子・アナログ識別子、およびスクランブルの有無などの情報が記録される。
【００３３】
次に、チャンネルアップダウン機能により切り換え可能なチャンネルの登録の削除について説明する。図３は、表示部に表示される削除画面の一例である。ユーザは、放送受信装置１においてチャンネルアップダウン機能により切り換えを行うチャンネルの登録の削除を行う場合には、操作部６またはリモコン装置８でチャンネルの削除操作を行う。放送受信装置１の制御部２は、ユーザが操作部６またはリモコン装置８により削除操作を行ったことを検出すると、表示部１１に削除画面を表示させ、確認フラグをオンにする。図３に示すように、削除画面には、登録用チャンネルマップ１５に登録されているチャンネルがサブチャンネル単位で表示されるので、ユーザは、画面上に表示された任意のサブチャンネルに対して削除の指定を行うことができる。制御部２は、ユーザによる削除の指定があると、指定されたサブチャンネルに対応するスキップ用チャンネルマップ１６におけるスキップフラグをオンにして、指定されたサブチャンネルがアップダウンキーの操作により選択されないように設定する。
【００３４】
また、放送受信装置１では、削除メニューを選択しなくても、ユーザが操作部６またはリモコン装置８のアップダウンキーを操作してチャンネルを選択する際に、画面上に表示された任意のサブチャンネルに対して削除の指定を行うことができる。図４は、アップダウンキー操作時に表示部に表示される削除画面の一例である。ユーザが削除メニューによりサブチャンネルの削除指定を行わなかった場合や視聴不可能なチャンネルについて削除指定が行われていない場合には、ユーザが操作部６またはリモコン装置８のアップダウンキーを操作してチャンネルを選択すると、制御部２は以下のような内容を表示部１１に表示させ、確認フラグをオンにする。例えば、ユーザが、スクランブル処理がされておりユーザが視聴契約を結んでいないために視聴不可能なチャンネルを選択した場合には、制御部２は、図４（Ａ）に示すように、そのチャンネルのスクランブルがかかった画面を表示させるとともに、その画面上に、スクランブルがかかっており視聴契約が必要なことや視聴契約をするための連絡先等をＯＳＤ（On Screen Display ）により表示部１１に表示させる。また、図４（Ａ）に示すように、アップダウンキーによりこのチャンネルを選択できないようにするか否かを確認する内容をＯＳＤにより表示部１１に表示させる。そして、制御部２は、ユーザによる操作部６またはリモコン装置８の操作を検出すると、その操作に応じて、このチャンネルの選択可否を設定する。
【００３５】
また、制御部２は、ユーザがアップダウンキーの操作によりこのチャンネルを選択できるように操作した場合には、図４（Ｂ）に示すように、今後も同様のメッセージを表示させるか否かを確認する内容をＯＳＤにより表示部１１に表示させる。制御部２は、ユーザによる操作部６またはリモコン装置８の操作を検出すると、その操作に応じて、このチャンネルを選択した際におけるメッセージの表示の可否を設定する。制御部２は、今後も同様のメッセージを表示させない操作を検出すると、図４（Ｃ）に示すように、以降このチャンネルが選択された場合には視聴ができないことだけを表示部１１に表示させる。
【００３６】
また、制御部２は、ユーザにより登録の削除の操作があると、スキップ用チャンネルマップ１６における指定されたサブチャンネルに対応するスキップフラグをオンにして、以降、ユーザがアップダウンキーの操作によりこのチャンネルが選択されないように設定する。
【００３７】
このように、アップダウンキーの操作によりチャンネルを選択できないようにスキップ用チャンネルマップ１６に登録されする際には、削除メニューを選択しなくてもアップダウンキーの操作時に設定することが可能である。
【００３８】
ここで、放送受信装置１では、ユーザが操作部６またはリモコン装置８を操作して、チャンネルアップダウン機能により選択できないように設定したチャンネルをダイレクトに選局することで視聴が可能である。これは、放送受信装置１では、前記のように登録用チャンネルマップ１５で全チャンネルの情報を管理しているからである。
【００３９】
次に、チャンネルアップダウン機能により選択できないようにスキップ用チャンネルマップ１６に登録されたチャンネルを、チャンネルアップダウン機能により選択できるように再登録を行う場合について説明する。図５は、チャンネルアップダウン機能により選択できないように登録を削除されたチャンネルの再登録時に表示部に表示される再登録画面の一例である。放送受信装置１では、前記のようにアップダウンキーの操作により選択できないように登録したチャンネルの管理をスキップ用チャンネルマップ１６を用いて行っているので、アップダウンキーの操作により選択できるようにすることも容易に実行できる。ユーザは、放送受信装置１においてチャンネルアップダウン機能により切り換えを行うチャンネルの再登録を行う場合には、操作部６またはリモコン装置８でチャンネルの再登録操作を行う。放送受信装置１の制御部２は、ユーザが操作部６またはリモコン装置８を操作して再登録操作を選択したことを検出すると、表示部１１に再登録画面を表示させる。この再登録画面には、図５に示すように、スキップ用チャンネルマップ１６において登録された各チャンネルがサブチャンネル単位で表示されるので、ユーザは、画面上に表示された任意のサブチャンネルに対して再登録の指定を行うことができる。制御部２は、ユーザによる再登録指定があると、指定されたサブチャンネルに対応するスキップ用チャンネルマップ１６のスキップフラグをオフにして、指定されたサブチャンネルがアップダウンキーの操作により選択できるように設定する。
【００４０】
以上のように、放送受信装置１では登録用チャンネルマップ１５へのチャンネルの登録を一括して行い、チャンネルのアップダウンキーの操作により選択できないようにする登録を、アップダウンキーの操作時に行うことができる。また、アップダウンキーの操作により選択できないように登録を削除したチャンネルの再登録をサブチャンネル単位で行うことができる。したがって、チャンネルアップダウン機能により切り換え可能なチャンネルの登録にかかる手間が抑えられるとともに、ユーザが自分の好みにあったチャンネルのみをチャンネルアップダウン機能により切り換えることができる。また、視聴したいチャンネルの好みが変わった場合でも、チャンネルアップダウン機能により選択できるチャンネルの再登録を容易に行うことができる。
【００４１】
ここで、放送受信装置１は、定期的にＯＯＢ信号からチャンネルマップ情報をダウンロードして、登録用チャンネルマップ１５の自動更新を行う機能を備えている。特に、ディジタル放送ではサブチャンネル数が動的に変化しており、また、チャンネルによりスクランブルの有無やスクランブル解除の時間帯が変更されることから、チャンネルマップを定期的に更新することで、チャンネルアップダウン機能により選択可能なチャンネルを変更することができる。また、番組の画像を表示できないチャンネルが増加した場合には、確認フラグがたっていないチャンネルのみ、チャンネルアップダウン機能により切り換えを可能にするか否かを確認すればよい。
【図面の簡単な説明】
【００４２】
【図１】放送受信装置の構成を示すブロック図である。
【図２】放送受信装置が記憶するチャンネルマップの一例を示す図である。
【図３】表示部に表示される削除画面の一例である。
【図４】アップダウンキー操作時に表示部に表示される削除画面の一例である。
【図５】チャンネルアップダウン機能により選択できないように登録を削除されたチャンネルの再登録時に表示部に表示される再登録画面の一例である。
【符号の説明】
【００４３】
１−受信装置
２−制御部
３−受信部
１５−登録用チャンネルマップ
１６−スキップ用チャンネルマップ
【図１】
0004788364.tif 000002
【図２】
0004788364.tif 000003
【図３】
0004788364.tif 000004
【図４】
0004788364.tif 000005
【図５】
0004788364.tif 000006